(57)【特許請求の範囲】
【請求項１】
配電盤内で主幹ブレーカに接続された複数の母線バーの他端側を支持するバーホルダであって、
該バーホルダは、該母線バーを支持する複数の母線バー支持部を備えるバーホルダ本体と、隣接する母線バー支持部の間に着脱自在に設けた隔壁からなり、
バーホルダ本体は、該バーホルダ本体を配電盤内にねじ固定するバーホルダ固定孔と、隔壁とバーホルダ本体の固定時に隔壁固定ねじが挿入される隔壁固定孔を備え、
前記の母線バー支持部には、前記母線バーの端部に圧着端子を介して幹線ケーブルを接続する際、この圧着端子を母線バー支持部に固定するねじを収納するねじ収納部が形成され、
前記の隔壁は、バーホルダ本体を貫通して形成された該バーホルダ固定孔の上端部に嵌入される係止突起と、隔壁本体を貫通して形成された隔壁固定ねじ着脱用貫通孔を備え、
前記のねじ収納部と、隔壁固定ねじ着脱用貫通孔とを、前記主幹ブレーカの短手方向にずらして配置したことを特徴とするバーホルダ。
【請求項２】
前記の隔壁固定ねじ着脱用貫通孔は、配電盤内で主幹ブレーカ側に向けて配置され、
係止突起は、母線バーの他端側に向けて配置されることを特徴とする請求項１記載のバーホルダ。
【発明の詳細な説明】
【技術分野】
【０００１】
本発明は、主幹ブレーカに接続された母線バーを支持するバーホルダに関するものである。
【０００２】
配電盤内に配置された複数の負荷に配電を行う構造として、図６に示すように、主幹ブレーカ１に接続された母線バー２に分岐ブレーカを接続して、該分岐ブレーカを介して各負荷に配電を行う構造が多く採用されている（例えば、特許文献１）。
【０００３】
このような構造において、主幹ブレーカ１に接続された母線バー２の端部は、背面板上に配置されたバーホルダ３により支持される。
【０００４】
バーホルダ３には、絶縁確保を目的として、バーホルダ３に支持される各母線バー２間に隔壁４が設けられることもある。
【０００５】
従来、隔壁４は、バーホルダ３を配電盤内の取付板に取り付ける前段階で、バーホルダ３の裏面側からのねじ止めにより、バーホルダ３に固定される構造が一般的であった。
【０００６】
しかし、このような構造においては、配電盤内でバーホルダが取り付けられ、更に母線バー２がバーホルダ３に取り付けられている状態で、仕様変更等の事情により、急遽隔壁４の設置が必要になった場合には、配線済みの母線バー２をバーホルダ３から取り外し、母線バー２に設置される分岐バーなども取り外しする必要があり、更にバーホルダ３を配電盤内の取付板から取り外した上で、バーホルダ３への隔壁の設置を行うことが必要となり、隔壁４設置作業が煩雑になり、迅速に対応できないという問題があった。また、表側からのねじ止め方法にすると、ねじを通過させるため、隔壁の口径を広くする必要性があり、口径を広げてしまうと隔壁４間の幅が狭くなってしまい、取り付けられる圧着端子のサイズが小さくする必要性がある。
【先行技術文献】
【特許文献】
【０００７】
【特許文献１】特開平１１-１６４４１６号公報
【発明の概要】
【発明が解決しようとする課題】
【０００８】
本発明の目的は前記の問題を解決し、配電盤内でバーホルダが配電盤内の取付板に取り付けられ、更に母線バーがバーホルダに取り付けられている状態で、仕様変更等の事情により、急遽隔壁の設置が必要になった場合にも、煩雑な作業工程を経ることなく、迅速に隔壁の設置を行うことができるバーホルダを提供することである。
【課題を解決するための手段】
【０００９】
上記課題を解決するためになされた本発明のバーホルダは、配電盤内で主幹ブレーカに接続された複数の母線バーの他端側を支持するバーホルダであって、該バーホルダは、該母線バーを支持する複数の母線バー支持部を備えるバーホルダ本体と、隣接する母線バー支持部の間に着脱自在に設けた隔壁からなり、バーホルダ本体は、該バーホルダ本体を配電盤内にねじ固定するバーホルダ固定孔と、隔壁とバーホルダ本体の固定時に隔壁固定ねじが挿入される隔壁固定孔を備え、前記の母線バー支持部には、前記母線バーの端部に圧着端子を介して幹線ケーブルを接続する際、この圧着端子を母線バー支持部に固定するねじを収納するねじ収納部が形成され、前記の隔壁は、バーホルダ本体を貫通して形成された該バーホルダ固定孔の上端部に嵌入される係止突起と、隔壁本体を貫通して形成された隔壁固定ねじ着脱用貫通孔を備え、前記のねじ収納部と、隔壁固定ねじ着脱用貫通孔とを、前記主幹ブレーカの短手方向にずらして配置したことを特徴とするものである。
【００１０】
請求項２記載の発明は、請求項１記載のバーホルダにおいて、隔壁は、隔壁本体を貫通して形成された隔壁固定ねじ着脱用貫通孔を備え、該隔壁固定ねじ着脱用貫通孔は、配電盤内で主幹ブレーカ側に向けて配置され、係止突起は、母線バーの他端側に向けて配置されることを特徴とするものである。
【発明の効果】
【００１１】
本発明に係るバーホルダは、該母線バーを支持する複数の母線バー支持部を備えるバーホルダ本体と、隣接する母線バー支持部の間に着脱自在に設けた隔壁からなり、バーホルダ本体は、隔壁とバーホルダ本体の固定時に隔壁側から隔壁固定ねじが挿入される隔壁固定孔を備える構成を有するため、配電盤内でバーホルダが取付バーに取り付けられ、更に母線バーがバーホルダに取り付けられている状態で、仕様変更等の事情により、急遽隔壁の設置が必要になった場合にも、隔壁側から隔壁固定ねじを着脱操作するだけで、簡単に隔壁の設置を行うことができる。また、バーホルダ本体は、該バーホルダ本体を裏面側から配電盤内にねじ固定するバーホルダ固定孔を備え、隔壁は、バーホルダ本体を貫通して形成された該バーホルダ固定孔の上端部に嵌入される係止突起を備える構成を有するため、隔壁とバーホルダ本体とを、該係止突起部と、前記隔壁固定ねじ部との２か所で、十分な強度を持って固定することができる。
【００１２】
隔壁本体を貫通して形成された隔壁固定ねじ着脱用貫通孔は、隔壁固定ねじが貫通できる口径を確保するため、口孔が大きくなり、母線バーの端部に圧着端子を介して幹線ケーブルを接続する場合には、該圧着端子と隔壁が干渉する問題が生じうるが、請求項２記載の発明によれば、該隔壁固定ねじ着脱用貫通孔を、配電盤内で主幹ブレーカ側に向けて配置する構成により、当該干渉の問題を効果的に回避することができる。
【図面の簡単な説明】
【００１３】
【図１】主幹ブレーカに接続された母線バーを支持したバーホルダの全体説明図である。
【図２】バーホルダの全体説明図である。
【図３】隔壁およびバーホルダ本体の断面説明図である。
【図４】バーホルダ本体の上面図である。
【図５】母線バーを支持したバーホルダの上面図である。
【図６】主幹ブレーカに接続された母線バーを介して、各負荷に配電を行う構造に関する従来技術の説明図である。
【発明を実施するための形態】
【００１４】
以下に本発明の好ましい実施形態を示す。
図１には主幹ブレーカ１に接続された母線バー２を支持したバーホルダ５の全体説明図を示し、図２にはバーホルダの全体説明図、図３には隔壁およびバーホルダ本体の断面説明図を示している。
【００１５】
母線バー２は、図１に示すように、主幹ブレーカ１の端子部に接続する主幹リードバー（図示しない）を介して主幹ブレーカ１に接続され、母線バー２の他端側はバーホルダ５に支持されている。なお、該母線バー２が接続される主幹ブレーカ１の端子部は、主幹ブレーカ１の電源側／負荷側いずれの端子部でもよい。
【００１６】
バーホルダ５は、図２に示すように、バーホルダ本体６と、バーホルダ本体６に着脱可能な隔壁７から構成されている。バーホルダ本体６は、配電盤等の筐体の取付板にねじにより固定されている。
【００１７】
バーホルダ本体６は、母線バー２を支持する母線バー支持部８を備え、母線バー支持部８の高さ位置は、一端を主幹ブレーカ１に接続された母線バー２下面の高さ位置に対応するように構成されている。異なる母線バーの板厚に対応する手段として、必要に応じてスペーサを取り付け、母線バー支持部８の高さを変更することもできる。
【００１８】
母線バー支持部８は、図２および図４に示すように、各相の母線バー支持部８の間に形成された凹溝１２を備え、該凹溝１２に形成された母線バー固定部１３とナット収納部１４とを備えている。
【００１９】
該母線バー固定部１３では、母線バー２とバーホルダ本体６とを位置合わせした後、固定ねじ１５を挿入することにより、図１に示すように母線バー２とバーホルダ本体６とを固定することができる。
【００２０】
ナット収納部１４は、母線バー２と母線バーの長手方向から引き出される幹線ケーブル１６との接続に使用される。幹線ケーブル１６は、図１に示すように、圧着端子１７で母線バーに接続され、ナット収納部１４に収納したナットと、幹線ケーブル１６の圧着端子１７に挿通するボルト１８との組み合わせにより、バーホルダ本体６に固定することができる。
【００２１】
図２および図４に示すように、バーホルダ本体６の内部には、隣接する母線バー支持部８間に、バーホルダ固定孔１９と隔壁固定孔２０とが形成されている。
【００２２】
バーホルダ固定孔１９は、バーホルダ本体６を上下方向に貫通して形成されている。該バーホルダ固定孔１９と、筐体に設置された取付板に形成されたねじ孔部とを位置合わせした後、バーホルダ本体６側から固定ねじを挿入することにより、筐体に設置された取付板にバーホルダ本体６を固定することができる。
【００２３】
隔壁固定孔２０は、隣接する母線バー支持部８間に形成された凹部からなり、隔壁７の固定に使用される。
【００２４】
図２に示すように、隔壁７は、細壁部２６に、隔壁本体を貫通する隔壁固定ねじ着脱用貫通孔２１と、母線バー２の上部を覆う母線バー保護カバーを固定するための固定孔２７が形成された構造を有している。
【００２５】
隔壁７をバーホルダ本体６に取り付ける際には、隔壁固定孔２０と隔壁固定ねじ着脱用貫通孔２１とを位置合わせした後、隔壁固定ねじ着脱用貫通孔２１の上方から隔壁固定ねじ２２を挿通することにより、隔壁７とバーホルダ本体６とを固定することができる。
【００２６】
隔壁固定ねじ着脱用貫通孔２１の下端部には突出孔部２３が形成されている。図３に示すように、バーホルダ本体６には、該突出孔部２３と嵌合する形状の凹部２４が形成されており、突出孔部２３と凹部２４との嵌合構造により、隔壁７とバーホルダ本体６とを、より安定的に固定可能としている。
【００２７】
隔壁７とバーホルダ本体６とを、更に安定的に固定する手段として、隔壁７には、バーホルダ本体６を貫通して形成されたバーホルダ固定孔１９の上端部に嵌入される係止突起２５を形成している。なお、係止突起２５は突出孔部２３より突出させた形状となっているものである。
【００２８】
これらの構造は不意の外力、特に圧着端子の締付作業時に働く外力に対して有効であり、隔壁７とバーホルダ本体６との固定状態を安定的に維持することができる。
【００２９】
図５に示すように、隔壁固定ねじ着脱用貫通孔２１は、配電盤内で主幹ブレーカ１側に向けて配置することが好ましい。隔壁７本体を貫通して形成された隔壁固定ねじ着脱用貫通２１孔は、隔壁固定ねじ２２が貫通できる口径を確保するため、口孔が大きくなり、母線バーの端部に圧着端子を介して幹線ケーブルを接続する場合には、該圧着端子と隔壁が干渉するために圧着端子のサイズを小さくする必要があるが該隔壁固定ねじ着脱用貫通孔を、配電盤内で主幹ブレーカ側に向けて配置する構成により、圧着端子のサイズを変更することなく当該干渉の問題を効果的に回避することができる。
【００３０】
隔壁７の上面１０は、主幹ブレーカ１の端子カバー取付面９と同一高さに形成され、該隔壁７の上面１０と端子カバー取付面９とに、保護カバー（図示しない）を渡して設け、主幹ブレーカ１の端子部と母線バー２とを同時に被覆することができる。また、隔壁７の上側面部には、溝部１１が形成されており、大型の圧着端子が接続された場合等で各母線バー２間を物理的に絶縁する絶縁壁を設ける場合に、該溝部１１に絶縁壁の端部を引掛けて設置することができる。
【００３１】
また、このようなバーホルダ５においては母線バー２の端部に設けるような構造だけでなく、隔壁７を分離可能に形成することにより、隔壁７を取り外したバーホルダ５を母線バー２の中間に設置する支えとしても利用可能にできるものである。
【符号の説明】
【００３２】
１  主幹ブレーカ
２  母線バー
３  バーホルダ
４  隔壁
５  バーホルダ
６  バーホルダ本体
７  隔壁
８  母線バー支持部
９  端子カバー取付面
１０  隔壁の上面
１１  溝部
１２  凹溝
１３  母線バー固定部
１４  ナット収納部
１５  固定ねじ
１６  幹線ケーブル
１７  圧着端子
１８  ボルト
１９  バーホルダ固定孔
２０  隔壁固定孔
２１  隔壁固定ねじ着脱用貫通孔
２２  隔壁固定ねじ
２３  突出孔部
２４  凹部
２５  係止突起
２６  細壁部
２７  固定孔
【図４】
0005720039.tif 000002
【図５】
0005720039.tif 000003
【図６】
0005720039.tif 000004
【図１】
0005720039.tif 000005
【図２】
0005720039.tif 000006
【図３】
0005720039.tif 000007